(57)【要約】【課題】遊技機の演出表示装置の演出性を向上する。【解決手段】演出表示装置４０は、入射光の一部を透過し、残りを反射するフィルタ層を有するハーフミラー４２に対し発光手段６２から光を照射することで、該ハーフミラー４２を透過する光により所定の演出を行なっている。 ハーフミラー４２におけるフィルタ層の後側には、後側から照射された光を拡散する半透明な拡散層が積層され、ハーフミラー４２は、その外周縁を第１保持部材５０で保持される。また、ハーフミラー４２、第１保持部材５０および演出基板６０に囲まれる内部領域には、ハーフミラー４２から離間して梁部５８が架設される。そして、第１保持部材５０におけるハーフミラー４２と演出基板６０との間に臨む内周面５０ａおよび梁部５８には、発光手段６２から照射した光の反射率を高める処理が施される。【選択図】図６
2007125323.tif 000002
【特許請求の範囲】
【請求項１】
遊技機に配設され、入射光の一部を透過し、残りを反射するフィルタ層を有するハーフミラーに対し光を照射することで、該ハーフミラーを透過する光で所定の演出を行なう演出表示装置において、
前記ハーフミラーにおけるフィルタ層の後側に積層され、後側から照射された光を拡散する半透明な拡散層と、
前記ハーフミラーの外周縁を囲繞し、係止部により該ハーフミラーを保持する保持部材と、
前記ハーフミラーの後面に対向した状態で前記保持部材の内側に配設され、光を照射する発光手段を有する演出基板と、
前記ハーフミラー、保持部材および演出基板に囲まれる内部領域に、該ハーフミラーから離間して配設され、該ハーフミラーの後面に臨む構造体とからなり、
前記保持部材における前記ハーフミラーと演出基板との間に臨む内周面および前記構造体に、前記発光手段から照射した光の反射率を高める処理が施されている
ことを特徴とする遊技機の演出表示装置。
【請求項２】
前記拡散層は、メジウムインクで形成されて、その表面が凹凸状になっている請求項１記載の遊技機の演出表示装置。
【請求項３】
前記保持部材における前記ハーフミラーと演出基板との間に臨む内周面および前記構造体に施す処理は、該保持部材の内周面および構造体の表面を、白色を基本とする色調で形成するものである請求項１または２記載の遊技機の演出表示装置。
【発明の詳細な説明】
【技術分野】
【０００１】
この発明は、遊技機に配設され、入射光の一部を透過し、残りを反射するフィルタ層を有するハーフミラーに対し光を照射することで、該ハーフミラーを透過する光で所定の演出を行なう演出表示装置に関するものである。
【背景技術】
【０００２】
遊技媒体として遊技球またはメダルを利用したスロットマシンや、遊技盤に画成された遊技領域に遊技球を弾発することで遊技を行なうパチンコ機が、遊技機として一般的に知られている。例えばスロットマシンは、メダルを投入してスタートレバーを押下げると、可変表示装置を構成する複数のドラムが回転し、続いてストップボタンを押すと各ドラムが順次停止されて１回分の変動ゲームを終了する(例えば、特許文献１参照)。このとき、可変表示装置において停止したドラムの表面に表示された図柄や図柄の配列等の表示態様によって各種入賞が決定され、入賞内容に応じた量のメダルが遊技者に払い出される。
【０００３】
前記スロットマシンでは、変動ゲームを開始すると可変表示装置のドラムが停止する前に、該可変表示装置の表示態様が前述した如く入賞となるような特別な表示態様となることを許容するか(当選)否か(落選)が抽選される。そして、スロットマシンにおいて、変動ゲームが当選することで当選状態に移行したことを示す当選フラグが内部的に設定され、遊技者の遊技操作タイミングのずれをある程度許容して、一定範囲内で可変表示装置が特別の表示態様で停止するように制御され、一定の確率で入賞するようになっている。スロットマシンに設定された当選フラグは、所定数の変動ゲームの間において維持されて、当選フラグが設定されている状態で、変動ゲームが入賞しなかった場合でも、次回の変動ゲームにおいて遊技者にとって有利な状態(特別遊技状態)に移行することができる。
【０００４】
前記スロットマシンでは、特別遊技状態に移行したことを、本体前面に設けた表示ランプを点灯することで、遊技者に報知するようになっている。しかし、表示ランプを単に点滅するだけでは、演出性に乏しく遊技者の期待感を高めるに至らない難点が指摘される。そこで、遊技者に有利な特別遊技状態となる期待感を増進させたり遊技者のゲーム続行の意欲を喚起するために、可変表示装置の遊技内容に応じて所定の演出を行なう演出表示装置を備えたパチンコ遊技機が提案されている(例えば、特許文献２参照)。
【０００５】
特許文献２に開示された演出表示装置は、外郭をなすケースの内部に演出手段としての回転ドラムが配設され、ケースの前面にハーフミラーが嵌め込まれている。この演出表示装置は、ケースの内部が前側より明るくならない限りハーフミラーが鏡として機能して回転ドラムを視認することはできず、ケースの内壁面に配設したランプにより該ケースの内部が明るくなった際に、前側からハーフミラーを介して回転ドラムを視認し得るよう構成されている。そして、可変表示装置の遊技内容に応じて、演出表示装置においてランプを点滅して、回転ドラムを出現させたり消すことで、特別遊技状態に移行したことを遊技者に報知するようになっている。
【特許文献１】特開２０００−２８８１６３号公報
【特許文献２】特開２００３−３３５４８号公報
【発明の開示】
【発明が解決しようとする課題】
【０００６】
このように遊技機では、可変表示装置で行なわれる各種演出だけでなく、演出表示装置による各種演出を工夫することにより、遊技者の当選への期待感や遊技性または当選状態への移行の報知性を高めることがなされており、演出表示装置自体が大きくなる傾向にある。演出表示装置が大きくなるにつれて、その構造的な強度が要求されるが、特許文献２の演出表示装置では、演出を損なってしまうために、遊技者から視認し得る演出表示装置におけるケースの内部には、梁やリブ等の構造体を配設することはできない。すなわち、演出表示装置の外郭をなすケース自体を厚く形成することや、ケースの外面にリブを設けることで補強を図ることとなり、演出表示装置における遊技者に臨む表示領域の割には、演出表示装置の外寸法が大きくなるから、他の装置と干渉してしまう問題がある。
【０００７】
特許文献２の演出表示装置では、あくまでも回転ドラムによる演出が主であるが、例えばランプによる演出を主として高めたい場合であっても、ランプの前側に回転ドラム等の部材を配置することで、ランプから照射した光は、該部材に遮られて前側からは認識できず、適当な効果が得られない不都合もある。
【０００８】
すなわち本発明は、従来の技術に係る遊技機の演出表示装置に内在する前記問題に鑑み、これらを好適に解決するべく提案されたものであって、演出性を向上した遊技機の演出表示装置を提供することを目的とする。
【課題を解決するための手段】
【０００９】
前記課題を克服し、所期の目的を達成するため、本願の請求項１に係る発明の遊技機の演出表示装置は、
遊技機(10)に配設され、入射光の一部を透過し、残りを反射するフィルタ層(44)を有するハーフミラー(42)に対し光を照射することで、該ハーフミラー(42)を透過する光で所定の演出を行なう演出表示装置において、
前記ハーフミラー(42)におけるフィルタ層(44)の後側に積層され、後側から照射された光を拡散する半透明な拡散層(45)と、
前記ハーフミラー(42)の外周縁を囲繞し、係止部(52)により該ハーフミラー(42)を保持する保持部材(50)と、
前記ハーフミラー(42)の後面に対向した状態で前記保持部材(50)の内側に配設され、光を照射する発光手段(62)を有する演出基板(60)と、
前記ハーフミラー(42)、保持部材(50)および演出基板(60)に囲まれる内部領域に、該ハーフミラー(42)から離間して配設され、該ハーフミラー(42)の後面に臨む構造体(58)とからなり、
前記保持部材(50)における前記ハーフミラー(42)と演出基板(60)との間に臨む内周面(50a)および前記構造体(58)に、前記発光手段(62)から照射した光の反射率を高める処理が施されていることを特徴とする。
請求項１に係る発明によれば、ハーフミラーに拡散層を設けると共に、保持部材におけるハーフミラーと演出基板との間に臨む内周面および構造体に対し、発光手段から照射した光の反射を高める処理を施すことで、発光手段から照射された光を拡散して、より高い演出性を付与し得る。同時に、ハーフミラーと演出基板との間の領域において、発光手段から照射した光が拡散層で拡散された後、フィルタ層で反射すると共に、保持部材の内周面または構造体に反射する乱反射状態となるから、発光手段の前側に位置する構造体が光を遮ることに起因する影を打消すので、前側から構造体の影を認識し難くすることができる。すなわち、ハーフミラーと演出基板との間に構造体を配設しても、発光手段の発光による演出を構造体が妨げることなく、演出性を向上することができる。言い換えれば、補強のための構造体をハーフミラーと演出基板との間に設けて、装置の大型化に対応することができる。
【００１０】
請求項２に係る発明は、請求項１記載の遊技機の演出表示装置において、前記拡散層(45)は、メジウムインクで形成されて、その表面が凹凸状になっている。
請求項２に係る発明によれば、拡散層をメジウムインクで形成し、その表面を凹凸状とすることで、その凹凸状の表面で発光手段から照射した光を様々な角度へ屈折させ、フィルタ層、保持部材の内周面または構造体で反射する光が様々な角度へ拡散するから、発光手段による発光下に、前側から構造体の影をより認識し難くすることができる。
【００１１】
請求項３に係る発明は、請求項１または２記載の遊技機の演出表示装置において、前記保持部材(50)における前記ハーフミラー(42)と演出基板(60)との間に臨む内周面(50a)および前記構造体(58)に施す処理は、該保持部材(50)の内周面(50a)および構造体(58)の表面を、白色を基本とする色調で形成するものである。
請求項３に係る発明によれば、保持部材におけるハーフミラーと演出基板との間に臨む内周面および構造体の表面を、白色を基本とする色調で形成することで、ハーフミラーと演出基板との間の内部領域において光を乱反射させ得るから、発光手段による発光下に、前側から構造体の影を更に認識し難くすることができる。
【発明の効果】
【００１２】
本発明に係る遊技機の演出表示装置によれば、ハーフミラーと演出基板の発光手段との間に構造体を配設しても、発光手段の発光による演出を構造体が妨げることなく、演出性を向上することができる。
【発明を実施するための最良の形態】
【００１３】
次に、本発明に係る遊技機の演出表示装置につき、好適な実施例を挙げて、添付図面を参照して以下に説明する。この演出表示装置は、遊技媒体として遊技球またはメダルを利用したスロットマシンや、遊技盤に画成された遊技領域に遊技球を弾発することで遊技を行なうパチンコ機等の遊技機を設置対象とし、遊技内容に応じて所定の発光演出を行なうことで、遊技機に配設された他の装置と協調して、または単独で演出性を向上するよう機能する。なお実施例では、遊技媒体として遊技球を使用するスロットマシンに演出表示装置を配設する場合を例に挙げて説明する。また本願において、遊技機または演出表示装置の前側とは、外方に露出して遊技者に臨む側を云い、後側とは遊技機が配設される島設備側を云う。
【実施例】
【００１４】
図１〜図４に示すように、実施例のスロットマシン１０は、該スロットマシン１０の前面をなす前面扉１１と、この前面扉１１の側端に回動自在に枢支した内枠１２と、該スロットマシン１０の設置基体である島設備に取付け固定される外枠１３とから基本的に構成される。前面扉１１は、外枠１３に対して回動自在に枢支されると共に、その枢支端と反対側の裏面に設けた施錠装置ＲＣの操作により外枠１３に対して開閉し得るよう構成される。なお、図１において符号Ｒは、スロットマシン１０に併設され、遊技球を貸出す遊技球等貸出装置を示す。
【００１５】
前面扉１１は、その前面に、上部に位置する上部パネル１４と、この上部パネル１４の下方に位置する中部パネル１５と、更に中部パネル１５の下方に位置する下部パネル１６とを備えている。各パネル１４,１５,１６は、何れも例えばメタクリル樹脂等の樹脂材料で構成され、各種装置や部材等の設置基体として機能すると共に各パネル１４,１５,１６自体または各パネル１４,１５,１６に施された装飾により意匠性を向上するようになっている。
【００１６】
前記中部パネル１５の略中央部には、後述する演出表示装置４０が設けられており、遊技状態に応じた所定の演出が行なわれるようになっている。また中部パネル１５には、その左右の側部に、前面扉１１の裏面に設けたスピーカ１７,１７(図２参照)に夫々整合する位置にスピーカ口１５ａ,１５ａが開設され、演出表示装置４０の演出または他の装置に合わせて、裏側に設けられた演出制御基板ＥＰＣの制御下に音声やメロディ等の効果音が出力されるようになっている。
【００１７】
前記下部パネル１６は、前記内枠１２に設置されて前面扉１１の裏面に臨む可変表示装置３０を覆い、当該下部パネル１６の可変表示装置３０に対向する位置に設けた透明な窓部１６ａを介して、可変表示装置３０における複数のリール３１,３１,３１を前側から視認し得るようになっている。また、下部パネル１６には、例えばＬＥＤからなる複数の表示器１８が適宜位置に配設され、これらの表示器１８により投入球数、特別遊技状態、打止め表示、再遊技表示、ウェイト表示、投入可能表示、獲得球数表示、演出表示、投入不足表示等の各種情報を遊技者に報知し得るようになっている。
【００１８】
前記前面扉１１には、下部パネル１６の下方に位置して、入賞により払出された遊技球を貯留すると共に、この貯留した遊技球を該前面扉１１の裏面に設けた球送り装置２４へ供給する上受け皿１９が配設されている。また、前面扉１１における最下部には、上受け皿１９からオーバーフローした遊技球および上受け皿球抜き手段１９ａの操作により排出された遊技球を貯留する遊技球返却部としての下受け皿２０が配設されている。下受け皿２０の前面には、下受け皿球抜き手段２０ａが設けられ、該下受け皿球抜き手段２０ａの操作により下受け皿２０に貯留された遊技球を外部に排出し得るようになっている。
【００１９】
前記上受け皿１９の上面および前面には、開始操作手段を構成する各種操作ボタン(賭数設定手段２１ａ,２１ｂ、リール停止ボタン２２、スタートレバー２３等)が設けられ、スロットマシン１０は、これらのボタン等を遊技操作することにより一連の変動ゲームが可変表示装置３０において実施されるようになっている。賭数設定ボタンは、遊技を行なうに際し、遊技球を最小単位の賭数(１ＢＥＴ分＝５球分)で設定する最小賭数設定手段２１ａと、遊技球を最大単位の賭数(例えば３ＢＥＴ分)で設定する最大賭数設定ボタン２１ｂがあり、これらの手段２１ａ,２１ｂの操作により球送り装置２４を介して遊技球が機内に取込まれる。また、スタートレバー２３は、可変表示装置３０による変動ゲームを開始する際に操作するものであり、賭数設定手段２１ａ,２１ｂにより遊技球の適宜賭数を設定した後に、レバー操作することにより各リール３１,３１,３１の回転が開始される。更に、リール停止ボタン２２,２２,２２は、可変表示装置３０の複数のリール３１,３１,３１に対応して設けられ、当該ボタン２２,２２,２２の押圧操作により回転しているリール３１,３１,３１のうち対応するものを停止するよう構成される。
【００２０】
図３に示すように、内枠１２の略中央部には可変表示装置３０が配設され、この可変表示装置３０はスロットマシン１０の幅方向に並列した複数(実施例では３)のリール３１,３１,３１を備えている。各リール３１には、その外周に巻き掛けられたリールシートに、複数種類の図柄(例えば７等の数字や文字または果物等のキャラクター：図示せず)が所定間隔で設けられている。また各リール３１は、対応的に接続されたステッピングモータ等の駆動手段(図示せず)により、他のリール３１,３１と独立して縦方向に回転(駆動)または停止し得るよう構成され、各リール３１が回転することで、前記窓部１６ａに図柄が連続的に変化しつつ表示されるようになっている。各リール３１は、窓部１６ａから視認し得る表示領域に、該リール３１に描かれた複数の図柄のうち、連続する３つの図柄が上段、中段および下段に位置すると共に、上段の上方には更に上側の図柄の一部が、下段の下方には更に下側の図柄の一部が夫々表示されるように停止される。そして、リール３１,３１,３１が停止した際に、前述の表示領域に設定された有効ライン(平行する３本の横ラインおよび斜めのライン)に並んだ図柄に応じて、入賞やスロットマシン１０が特別遊技状態へ移行したり、または通常状態のまま遊技者の遊技操作により次の変動ゲームが開始される。
【００２１】
図４に示すように、内枠１２の裏面には、その上部に位置して島設備の補給装置(図示せず)から補給される遊技球を貯留する遊技球補給タンク３２が配設され、この遊技球補給タンク３２の下方に２条の遊技球補給通路３３が連設されている。また、遊技球補給通路３３,３３は、内枠１２の裏面に配設された第１および第２払出装置(払出手段)３４,３４(一方のみ図示)に、その下端が接続され、遊技球補給タンク３２に貯留されている遊技球が遊技球補給通路３３,３３を介して第１および第２球払出装置３４,３４へ向けて誘導される。この払出装置３４,３４は、入賞の発生等により付与された賞球の払出しや精算操作による払戻しや遊技球の貸出しを行なうために、遊技球補給通路３３,３３を流下する遊技球の流通を許容または規制することで、遊技球を所定数で切分けし得るよう構成される。そして、第１および第２払出装置３４,３４から排出された遊技球は、払出装置３４,３４の下方で内枠１２に開設した遊技球内部払出口３５および前面扉１１の遊技球払出口通路３６(図２参照)を介して前面扉１１の上受け皿１９に払い出されるよう構成される。
【００２２】
前記内枠１２の裏面には、主に可変表示装置３０による遊技の進行や球送り装置２４が実施する遊技球の取込みを制御する統括的な制御手段としてのメイン制御基板ＭＰＣが設けられている(図４参照)。また、内枠１２の表面には、第１および第２払出装置３４,３４が実施する遊技球の払出を制御するサブ制御手段として払出制御基板ＨＰＣが設けられている(図３参照)。更に、前面扉１１の裏面には、演出表示装置４０に一体的に配設され、遊技に関連する演出を制御する演出制御手段としての演出制御基板ＥＰＣが設けられている。そしてスロットマシン１０は、メイン制御基板ＭＰＣを中心として、払出制御基板ＨＰＣおよび演出制御基板ＥＰＣが接続され、遊技状態等の各種状況に応じた演出や遊技球の払出しや取込み制御がなされる。
【００２３】
図５〜図７に示すように、前記演出表示装置４０は、所定形状で形成した演出部４２ａ,４２ｂを有するハーフミラー４２と、このハーフミラー４２の外周縁を囲繞した状態で保持する第１保持部材(保持部材)５０と、ハーフミラー４２の後側に配設され、発光手段６２を有する演出基板６０と、ハーフミラー４２および演出基板６０の間に配設した構造体５８とから基本的に構成される。実施例の演出表示装置４０は、前述した構成に加えて、演出基板６０の後側に配設され、演出基板６０の発光手段６２による発光制御を行なう演出制御基板ＥＰＣと、第１保持部材５０の後側に配設され、演出制御基板ＥＰＣを保持する第２保持部材７０とを備えている。なお、演出制御基板ＥＰＣは、発光手段６２の発光制御だけでなく、他の機器の演出を制御する手段としても共用される。また演出表示装置４０は、第１保持部材５０におけるハーフミラー４２と演出基板６０との間に臨む内周面５０ａおよび構造体５８に、発光手段６２から照射した光の反射率を高める処理を施すことで、該発光手段６２を発光させた際に、該構造体５８に起因する前側への射影を伴わずに、該ハーフミラー４２を後側から前側に透過する光による所定の演出を視認し得るよう構成される。すなわち、演出表示装置４０では、発光手段６２による発光により装置内部を前側から見通すことで内部に配設した演出物により演出する態様ではなく、あくまでも発光手段６２を発光した際にハーフミラー４２を透過する光により、ハーフミラー４２自体があたかも光るように見せることで演出を行なうものである。
【００２４】
前記演出表示装置４０は、前面扉１１の裏面から中部パネル１５に対して着脱自在に取付けられ、そのハーフミラー４２が前面扉１１の前側に臨み、遊技者から視認し得るようになっている。具体的には、演出表示装置４０には、第１保持部材５０の各側部に外方へ突出するように取付部５１が夫々形成され、この取付部５１に開設された長孔５１ａを中部パネル１５の適宜位置に開設された孔部(図示せず)に夫々整合させて、前面扉１１の裏面に配置される。そして、取付片７６に備えた取付爪７６ａを、後側から長孔５１ａおよび孔部に共通的に挿通して、取付片７６を指先操作により回転して取付爪７６ａを孔部の開口縁を構成する中部パネル１５に係合することで、演出表示装置４０が中部パネル１５に取付けられる。
【００２５】
前記ハーフミラー４２は、図８に概略的に示す如く、ガラスや樹脂等の透明な材料からなる略矩形状の基材４３を基体として、この基材４３の後面に設けられたフィルタ層４４と、このフィルタ層４４の後側に積層された拡散層４５と、所定の模様が形成された意匠層４６と、光を透過しない裏止め層４７とを備えている。フィルタ層４４は、例えば銀やアルミニウム等の金属を蒸着することで形成されて、入射光の一部を透過し、残りを反射する層であって、ハーフミラー処理の主体を構成している。実施例のハーフミラー４２では、基材４３の後面側において、その略中央部および両側部の上側近傍に所定の模様を形成するようにフィルタ層４４が積層され、このフィルタ層４４が積層された部位が発光手段６２の発光により所定の演出を行なう演出部４２ａ,４２ｂとなっている。また、ハーフミラー４２において、基材４３における演出部４２ａ,４２ｂをなすフィルタ層４４の積層部位以外には、所定の模様を描いた意匠層４６およびこの意匠層４６の後側に積層した裏止め層４７とからなる光を透過しない意匠部４２ｃが形成され、演出部４２ａ,４２ｂを装飾するようになっている。
【００２６】
前記拡散層４５は、フィルタ層４４における発光手段６２に臨む面である後側に、フィルタ層４４のなす所定の平面形状に合わせて積層され、発光手段６２より照射した光が拡散層４５を透過した後、フィルタ層４４に入射するようになっている。拡散層４５は、すりガラスの如く半透明に形成され、発光手段６２を発光させた際にハーフミラー４２を挟んで前側より後側の領域が明るくなっても、ハーフミラー４２を介してハーフミラー４２と演出基板６０との間の領域(例えば、構造体５８や発光手段６２等)を前側から見通すことができないよう構成される。拡散層４５は、メジウムインクで形成されて、その表面となる後面が凹凸状になっている。メジウムインクは、酸化チタンやアルミナ等の顔料を、アルコール等の揮発性物質を含むビヒクル(溶媒)に分散した透明性の無色インクであって、例えば刷毛塗りや印刷等の適宜の手段でフィルタ層４４の後面に塗布される。
【００２７】
前記拡散層４５では、層内に分散する顔料および発光手段６２に臨む後面に形成された凹凸により入射した光が多方向へ屈折して散乱して、フィルタ層４４を介して前側へ透過する光を大きく視認し得る作用を付与する。同時に、フィルタ層４４に入射する光の角度を多様にすることで、ハーフミラー４２と演出基板６０との間の領域において乱反射を促すように作用する。また、メジウムインクに分散する顔料としては、白色を基本とする色調のものが好適に使用され、拡散層４５自体が白色を基本とする色調で形成される。なお、拡散層４５をメジウムインクで形成することで、メジウムインクのビヒクルに含まれる揮発性物質が揮発することでその表面に微視的に凹凸が形成されるが、拡散層４５に凹凸パターンを転写することや、塗布厚さを変化すること等その他の手段により機械的に拡散層４５の表面を凹凸状としてもよい。
【００２８】
前記意匠層４６は、例えばスクリーン印刷やその他の手段により多層の色を重ねて構成され、これらの色の組合わせにより所定の模様や絵等を描いた層であって、実施例では基材４３の裏面における前述した演出部４２ａ,４２ｂ以外の部位に形成されている。また意匠層４６の後側に形成される裏止め層４７は、光を透過しない例えば黒色の塗料で形成した層であり、意匠部４２ｃでは発光手段６２から照射された光が裏止め層４７に遮断されて前側から視認できないようになっている。
【００２９】
前記第１保持部材５０は、略矩形状のハーフミラー４２の形状に合わせて形成した例えばＡＢＳ樹脂を材料とする枠状体であって、前後両側が開放した筒状に形成され、ハーフミラー４２の外周縁を囲繞した状態で複数の係止部５２により該ハーフミラー４２を保持するよう構成されている。係止部５２は、第１保持部材５０の各側壁部に上下の関係で離間して一体的に夫々形成され、その前端部に内方に向けて突出する突部５２ａが形成されている。第１保持部材５０の側壁部は、各係止部５２の両側が前側に向けて開放するよう切欠かれて、当該係止部５２が第１保持部材５０の幅方向に撓曲し得るようになっている。そして、ハーフミラー４２の第１保持部材５０への取付けに際して、突部５２ａがハーフミラー４２に押されて対向する係止部５２,５２が互いに離間する方向に撓曲してハーフミラー４２の通過を許容し、突部５２ａがハーフミラー４２の前側に位置して対向する係止部５２,５２の撓曲状態が元に戻ることで、突部５２ａによりハーフミラー４２の前側への移動が規制される。
【００３０】
前記第１保持部材５０の内部には、構造体としての梁部５８が上下および幅方向の対向する内面間に亘って架設され、第１保持部材５０の補強がなされている。実施例の梁部５８は、第１保持部材５０の内部において幅方向に離間して上下に延在して２本並ぶと共に、上下方向の略中央において幅方向に１本延在して格子状になっている。また梁部５８は、第１保持部材５０の前側に保持されるハーフミラー４２から離間して配置されると共に、第１保持部材５０の後側に保持される演出基板６０からも離間するよう配置されている。ここで梁部５８は、第１保持部材５０における前後方向の中間部位より後側に偏倚した位置に配置され、演出基板６０側に位置して、演出基板６０に配設した発光手段６２と近接している。
【００３１】
前記第１保持部材５０の内面には、梁部５８を挟んで前側および後側の夫々に、内方に向けて突出すると共に前後方向に延在する複数の前部リブ５３および後部リブ５４が一体形成されている。実施例では、第１保持部材５０の内面と梁部５８との接続部分に、前部リブ５３および後部リブ５４が配置されて、前部リブ５３の後端が梁部５８の前面に連設されると共に、後部リブ５４の前端が梁部５８の後面に連設され、梁部５８と前部リブ５３および後部リブ５４とが共同して第１保持部材５０を補強するようになっている。また前部リブ５３の前端部は、階段状に切欠かれ、その切欠部分の前側に臨む面がハーフミラー４２の後面に当接して、該ハーフミラー４２の後側への移動を規制するよう構成され、ハーフミラー４２と梁部５８とが所要間隔離間して当接しないようになっている。ここで、前部リブ５３における切欠部分の前後方向に延在する面は、前側から後側に向かうにつれて内方へ突出するように傾斜形成され、ハーフミラー４２における第１保持部材５０への取付けを案内する。同様に、後部リブ５４の後端部は、階段状に切欠かれ、その切欠部分の後側に臨む面が演出基板６０の前面に当接して、該演出基板６０の前側への移動を規制するよう構成され、梁部５８と演出基板６０とが当接しないようになっている。そして、後部リブ５４における切欠部分の前後方向に延在する面は、後側から前側に向かうにつれて内方へ突出するように傾斜形成され、演出基板６０における第１保持部材５０への取付けを案内する。
【００３２】
前記第１保持部材５０の内側には、ハーフミラー４２の両側部上端近傍に設けた演出部(以下、第２演出部と云う)４２ｂを夫々囲繞するように枠部５５,５５が配設されている。各枠部５５は、ハーフミラー４２の略中央部に設けた演出部(以下、第１演出部と云う)４２ａに対向配置した発光手段６２ａ(図６参照：発光手段全体または特に区別することなく何れか１つを指す場合は符号６２を使用する)から照射された光が、第２演出部４２ｂに入射しないように遮断している。反対に各枠部５５は、第２演出部４２ｂに対向配置した発光手段６２ｂ(図６参照：発光手段全体または特に区別することなく何れか１つを指す場合は符号６２を使用する)から照射された光が、第１演出部４２ａに入射しないように遮断している。また各枠部５５は、第１保持部材５０の補強部材としても機能する。
【００３３】
前記演出基板６０は、第１保持部材５０の内周寸法と略同一の寸法に設定した略矩形状の部材であって、第１保持部材５０の内部に、後部リブ５４に位置規制された状態で梁部５８の後側に配設されている。演出基板６０の前面には、複数の発光手段６２が配設されている。実施例では、前述したハーフミラー４２の演出部４２ａ,４２ｂに対向する位置である、演出基板６０の略中央部および両側部の上側近傍に発光手段６２ａ,６２ｂが配置される。発光手段６２は、ＬＥＤ、ランプ等その他の光を照射し得るものであればよく、実施例では、赤色、緑色および青色の発光体を一組としたフルカラーＬＥＤが採用され、演出制御基板ＥＰＣの制御下に、各発光体を単独または組合わせて発光させることで、任意の色の光を照射し得るようになっている。また複数の発光手段６２は、演出基板６０の前側に延在する梁部５８に正対しない外れた位置に設けられている。なお、演出基板６０の後面には、幅方向に離間して一対の第１コネクタ６４,６４が配設され、演出制御基板ＥＰＣの前面に配設された後述する一対の第２コネクタＣ,Ｃと夫々接続している。
【００３４】
前述した如く、第１保持部材５０におけるハーフミラー４２と演出基板６０との間に臨む内周面５０ａおよび梁部５８の表面には、発光手段６２から照射した光の反射率を高める処理が施されている。この第１保持部材５０および梁部５８に施される処理とは、ハーフミラー４２、第１保持部材５０および演出基板６０に囲まれる演出表示装置４０の内部領域において、発光手段６２から照射した光の乱反射を促すものである。すなわち、本願発明で云う反射率を高める処理とは、第１保持部材５０または梁部５８の表面に施す塗装やめっき等またはその他の鏡面化処理による態様だけではなく、第１保持部材５０または梁部５８自体を材質的に色調を調節する態様や反射し易い材料を選択する態様も含むものである。なお、第１保持部材５０と演出基板６０との間に位置する前部リブ５３や枠部５５等の部位または部材も、発光手段６２から照射した光の反射率を高める処理が施される。
【００３５】
実施例では、第１保持部材５０におけるハーフミラー４２と演出基板６０との間に臨む内周面５０ａおよび梁部５８に施す処理として、第１保持部材５０および梁部５８自体を、白色を基本とする色調とする材料で構成することで、第１保持部材５０の内周面５０ａおよび梁部５８の表面の高反射率化を図っている。ここで、第１保持部材５０および梁部５８の色調に対して、発光手段６２から照射した光の反射率は、その多くの部分が色の明るさの指標である明度に依存し、明度が大きくなる(白くなる)ほど反射率が向上する。また、明度が大きいものであっても、色味をもつことは反射率を阻害する要因となるから、色調を色味のない無彩色とすることが最適である。実施例では明度として、ＪＩＳに規定するマンセルシステム(ＪＩＳ Ｚ８７２１(色の表示方法−三属性による表示))における８以上のものが採用される。この中でも、マンセル番号で表示するところのＮ８〜Ｎ９の範囲にあるものを採用するのが好適である。すなわち、明度がＮ８より小さくなると(黒が強くなる方向へ移行)、充分に梁部５８の影を打消し得る反射状態を得ることができない。このように、第１保持部材５０の内周面５０ａおよび梁部５８の表面を、白色を基本とする無彩色で構成することで、フルカラーＬＥＤを用いている発光手段６２の発光色(白、赤、緑、青等)の相違に拘わらず、何れの発光色においても光の吸収が少なく、高反射率化を図り得る。
【００３６】
前記第１保持部材５０の内周面５０ａおよび梁部５８の表面の色調としては、前述した如く無彩色のものが最適であるが多少の色味があってもよい。ちなみに、第１保持部材５０の内周面５０ａおよび梁部５８の表面を、例えば赤系統の色相で構成した場合、発光手段６２を赤で発光させることで高い反射率を示し、同様に緑系統の色調で構成した場合、発光手段６２を緑で発光させることで高い反射率を示す。反対に、赤系統の色相で構成した第１保持部材５０の内周面５０ａおよび梁部５８の表面に対して、発光手段６２を赤以外の発光色で発光すると、これら赤以外の発光色は、第１保持部材５０の内周面５０ａおよび梁部５８の表面で吸収されるので反射し難い。すなわち、発光手段６２として特定の色でしか発光しない場合や、フルカラーであったとしても演出として所定の色しか使用しない場合は、第１保持部材５０の内周面５０ａおよび梁部５８の表面の色相を、発光手段６２の特定の発光色との関係で、この特定の発光色と同じ色相とすることで、特定の発光色に対する反射率のみを向上することができる。第１保持部材５０の内周面５０ａおよび梁部５８の表面の色調として有彩色を採用する場合、色の鮮やかさの指標である彩度としては、前述した明度、発光手段６２の発光色または色相によって幅が生じるが、マンセル番号において４以下の範囲に設定するのが適当である。
【００３７】
前記演出制御基板ＥＰＣは、演出基板６０と略同一寸法で形成された略矩形状の板状体であって、前面における両側部に夫々設けた第２コネクタＣ,Ｃを、演出基板６０の第１コネクタ６４,６４に対応的に接続した状態で該演出基板６０の後側に配設されている。演出制御基板ＥＰＣは、メイン制御基板ＭＰＣの制御下に他の装置と連動して、または単独で、該演出制御基板ＥＰＣに予め設定された発光手段６２の発光順序や発光色に基づいて、発光手段６２の発光による所定の演出を行なうよう制御している。また、第１保持部材５０の後側には、演出制御基板ＥＰＣを保護する第２保持部材７０が配設されている。この第２保持部材７０は、前面に開放すると共に後面が閉塞した箱状の部材であって、演出制御基板ＥＰＣの外周縁を囲繞した状態で第１保持部材５０に取付けられる。具体的には第２保持部材７０は、第１保持部材５０の上面および下面に設けた係合突片５６,５６に対応して、その上縁および下縁の夫々に幅方向に離間して前側に突出するよう設けた一対の係合爪部７２,７２を夫々係合することで、第１保持部材５０に組付けられる。第２保持部材７０の内面には、前後方向に延在すると共に内方に向けて突出する複数のリブ７４が一体形成されている。このリブ７４の前端部は、階段状に切欠かれ、この切欠部分の前側に臨む面が演出制御基板ＥＰＣの後面に当接して、該演出制御基板ＥＰＣの後側への移動を規制している。
【００３８】
〔実施例の作用〕
次に、実施例に係る遊技機の演出表示装置の作用について説明する。ここで、実施例のスロットマシン１０による遊技の流れを簡単に説明する。遊技者による遊技球の貸出し操作により遊技球補給通路３３,３３の遊技球が、払出制御基板ＨＰＣの制御下に第１および第２払出装置３４,３４で切分けられて、所定数だけ上受け皿１９に払出される。賭数設定手段２１ａ,２１ｂを操作して適宜の賭数を設定することで、この賭数に応じた数の遊技球が上受け皿１９からメイン制御基板ＭＰＣの制御下に球送り装置２４により取込まれる。スタートレバー２３の操作が受付可能な状態となり、この状態においてスタートレバー２３を操作することで、可変表示装置３０が作動して各リール３１,３１,３１が回転され、窓部１６ａに複数種類の図柄が連続的に変化するように表示される。そして、リール停止ボタン２２,２２,２２を遊技者が操作することで、対応するリール３１,３１,３１の回転が停止され、窓部１６ａにおける上,中,下段に図柄が表示される。この際に、賭数設定手段２１ａ,２１ｂで設定した賭数に応じた有効ラインに、同種の図柄が揃って停止表示された場合に入賞となり、図柄の組み合わせによっては特別遊技状態に移行すると共に、演出制御基板ＥＰＣの制御下に演出表示装置４０やスピーカ１７等による演出が行なわれる。同時に、払出制御基板ＥＰＣの制御下に、払出装置３４,３４が作動して所定数の賞球が上受け皿１９に払出される。
【００３９】
前記演出表示装置４０は、積極的に演出を行なっていない場合では発光手段６２が消灯され、ハーフミラー４２を挟んで後側に臨む領域(装置内部)が前側の領域(遊技者側)と比較して暗くなっている。このため、ハーフミラー４２における演出部４２ａ,４２ｂに施したハーフミラー処理、すなわちフィルタ層４４において反射する光が強くて当該フィルタ層４４が鏡として機能するから、前側から装置内部を見通すことはできない(図８(ａ)参照)。従って、演出表示装置４０では、鏡面となった演出部４２ａ,４２ｂと、意匠部４２ｃとのよる装飾的な演出のみがなされる。なお、スロットマシン１０を暗所に設置して、遊技者側と装置内部との明るさに差がない場合であっても、フィルタ層４４の後側に不透明な拡散層４５が積層されているので、遊技者側から装置内部の梁部５８および発光手段６２等を見通すことはできず、意匠性を損なうことはない。
【００４０】
前述した如く前記可変表示装置３０における変動ゲームの入賞等に連動して、演出表示装置４０は、演出制御基板ＥＰＣにより発光手段６２が所定の順序、タイミングまたは色で発光するように制御されることで、他の装置と共に遊技者に対して期待感等を向上する所定の演出が行なわれる。このとき、演出表示装置４０では、発光手段６２が発光することで、遊技者側と比較して装置内部側が明るくなり、フィルタ層４４が遊技者に対する鏡としての機能を喪失するが、フィルタ層４４の後側に積層した不透明な拡散層４５により装置内部を前側から見通すことはできず、遊技者に対し光による演出効果のみを付与することができる。また、ハーフミラー４２に拡散層４５を設けることで、発光手段６２の発光下に前側へ透過する光が拡散されるので、ハーフミラー４２の演出部４２ａ,４２ｂに映る光が前側から大きく見えると共に、当該演出部４２ａ,４２ｂが浮き上がって見えて立体感が得られるから、遊技者に対する演出効果を向上することができる。
【００４１】
前記演出表示装置４０は、発光手段６２の前側に梁部５８が延在しているものの、ハーフミラー４２に拡散層４５を設けると共に、第１保持部材５０の内周面５０ａおよび梁部５８の表面に発光手段６２から照射した光の反射率を高める処理が施されているから、発光手段６２の発光下に、当該梁部５８によるハーフミラー４２への射影を実質的に回避し得る。すなわち、発光手段６２の発光による演出が、梁部５８の影により損なわれることなく、遊技者に対して好適な演出効果を付与し得る。
【００４２】
前記発光手段６２が発光しているときの状態を、図８(ｂ)を参照して具体的に説明する。発光手段６２から照射された光は、前側に存在する拡散層４５に入射すると、空気と拡散層４５との屈折率の違いから屈折されるので、フィルタ層４４に様々な角度で入射され、その一部は装置内部に向けて反射すると共に、残りの部分はフィルタ層４４を透過して遊技者に視認される。この装置内部に向けて反射した光は、高反射率化された第１保持部材５０の内周面５０ａまたは梁部５８の表面で再び反射して、前側へ向けて照射されることになる。また別の光は、第１保持部材５０の内周面５０ａに反射して、前述した如く、フィルタ層４４、第１保持部材５０の他の部分または梁部５８に反射されて、その一部が前側に照射される。すなわち、第１保持部材５０の内周面５０ａを高反射率化することで、発光手段６２から照射した光が当該第１保持部材５０の内周面５０ａで吸収されることはなく、装置内部領域において光が乱反射する状態を作り出すことができる。そして、梁部５８を高反射率化することで、光の乱反射状態を促進し得ると共に、梁部５８の前面で反射した光が前側へ照射することで、擬似的に光源が梁部５８の前面にもあるように作用するから、前側から梁部５８の影を認識し難くすることができる。
【００４３】
前記拡散層４５をメジウムインクから形成することで、空気と拡散層４５との屈折率の違いによる屈折だけでなく、拡散層４５の後面に形成される凹凸により光を更に様々な角度で屈折させることができる。すなわち、フィルタ層４４で反射する光も様々な角度で拡散するから、梁部５８の影を好適に打消すことができ、前側からの梁部５８の影を認識をより困難にし得る。また、拡散層４５に分散するメジウムインクの顔料に由来する物質も、光を反射する機能を持っているから、装置内部領域における光の乱反射状態を促進し得る。
【００４４】
このように演出表示装置４０において、発光手段６２の前側に光の障害物となる梁部５８を配設しても、発光手段６２の発光下に前側から梁部５８の影を視認することができないので、梁部５８やその他の補強部材の配設位置の制約が少なく、該演出表示装置４０を適切に補強し得る。すなわち、演出表示装置４０において遊技者に対し演出効果を付与する部分であるハーフミラー４２を大型化しても、該ハーフミラー４２は強度の高い第１保持部材５０に保持されているから、歪みやねじれ等の変形が生じることはない。しかも、第１保持部材５０の板厚を大きくしたり、第１保持部材５０の外側にリブ等の補強部材を配設することなく補強し得るから、ハーフミラー４２の大きさの割には、装置全体の外形寸法を小さくすることができ、スロットマシン１０に配設した他の装置との干渉を防止することができ、スペースの有効利用を図り得る。
【００４５】
実施例の演出表示装置４０は、第１保持部材５０および梁部５８自体を、白色を基本とする色調とする材料で構成することで、第１保持部材５０の内周面５０ａおよび梁部５８の表面の高反射率化を図っている。すなわち、第１保持部材５０および梁部５８自体を白色の材料で構成することで、表面に塗装等により後処理する場合と比較して工数や材料等を減らせるので、トータルとしてコストを低減し得る。また演出表示装置４０は、各部材がネジ等の締結手段を用いない係合構造で組付けられているから、組付けに手間がかからず、例えば演出基板６０等の取替え作業も容易に行なうことができる。更に演出表示装置４０は、メイン制御基板ＭＰＣとは別に演出を制御する手段として演出制御基板ＥＰＣを有しているので、メイン制御基板ＭＰＣにおける処理負荷を軽減し得る。
【００４６】
実施例では、構造体である梁部５８を、演出基板６０側に偏倚して配置するよう構成してある。このように構成することで、梁部５８が演出基板６０に配設した発光手段６２に近接して、発光手段６２から照射した光が梁部５８において回折する度合が大きくなり、前側への反射面となる梁部５８の前側に光を入射させることができる。すなわち、梁部５８に施した高反射率処理による前側への光の反射により影の発生を更に抑制し得る。
【００４７】
前記演出表示装置４０では、発光手段６２を１つだけから構成するのではなく、演出基板６０の前面に互いに所要間隔離間して複数配設すると共に、前側に位置する梁部５８から外れた位置に配置している。このように構成することで、一の発光手段６２から照射した光が梁部５８に遮られて影が生じたとしても、他の発光手段６２で梁部５８により生じた影を打消すことができる。
【００４８】
(変更例)
前述した実施例に加えて下記の如く変更することも可能である。
(１)演出基板の前面に、発光手段から照射した光の反射率を高める処理を施してもよい。すなわち、演出基板の前面に白色を基本とする色調の塗装等を行なうことで、反射率を向上する態様や、演出基板自体を白色を基本とする色調の材料で構成することで、その前面の反射率を向上する態様も採用し得る。このように、装置の内部領域に臨む演出基板の前面も高反射率化することで、当該前面においても発光手段から照射した光が反射されるから、内部領域における光の乱反射状態を促進して梁部等の構造体による影をより生じ難くすることができる。
(２)同様に、裏止め層の後面に、発光手段から照射した光の反射率を高める処理を施してもよい。すなわち、裏止め層の後面に白色を基本とする色調の塗装等を行なうことで、反射率を向上する態様や、裏止め層自体を光を反射するものの透過しない白色を基本とする色調の材料で構成することで、その後面の反射率を向上する態様も採用し得る。このように、装置の内部領域に臨む裏止め層の後面も高反射率化することで、当該後面においても発光手段から照射した光が反射されるから、内部領域における光の乱反射状態を促進して梁部等の構造体による影をより生じ難くすることができる。
(３)ハーフミラーにおいて、フィルタ層を基材の一部に積層する構成であるが、基材の全体に積層することで、ハーフミラーの全体を演出部として機能させてもよい。また、フィルタ層を基材の後面に設けるのではなく、基材の前面または内部に設ける構成も採用し得る。フィルタ層を基材の前側に形成する場合は、基材の前面に拡散層を積層した後、拡散層の前面にフィルタ層が積層される。
【００４９】
(付記１)
本発明の具体的構成としては、以下の限定が可能である。
遊技媒体が投入された後に、遊技者が所定の遊技操作可能な開始操作手段(21a,21b,22,23)と、この開始操作手段(21a,21b,22,23)の操作を契機に、複数の図柄が変動した後に適宜停止する変動ゲームを行なう可変表示装置(30)と、この可変表示装置(30)における変動ゲームの終了時に、複数の図柄が特別な表示態様となることで遊技媒体を払出す払出手段(34)とを備える遊技機(10)に配設され、入射光の一部を透過し、残りを反射するフィルタ層(44)を有するハーフミラー(42)に対し光を照射することで、該ハーフミラー(42)を透過する光で所定の演出を行なう演出表示装置において、
前記ハーフミラー(42)におけるフィルタ層(44)の後側に積層され、後側から照射された光を拡散する半透明な拡散層(45)と、
前記ハーフミラー(42)の外周縁を囲繞し、係止部(52)により該ハーフミラー(42)を保持する保持部材(50)と、
前記ハーフミラー(42)の後面に対向した状態で前記保持部材(50)の内側に配設され、光を照射する発光手段(62)を有する演出基板(62)と、
前記ハーフミラー(42)、保持部材(50)および演出基板(60)に囲まれる内部領域に、該ハーフミラー(42)から離間して配設され、該ハーフミラー(42)の後面に臨む構造体(58)とからなり、
前記保持部材(50)における前記ハーフミラー(42)と演出基板(60)との間に臨む内周面(50a)および前記構造体(58)に、前記発光手段(62)から照射した光の反射率を高める処理が施されていることを特徴とする。
このように付記１によれば、ハーフミラー４２に拡散層４５を設けると共に、保持部材５０におけるハーフミラー４２と演出基板６０との間に臨む内周面５０ａおよび構造体５８に対し、発光手段６２から照射した光の反射を高める処理を施すことで、発光手段６２から照射された光を拡散して、より高い演出性を付与し得る。同時に、ハーフミラー４２と演出基板６０との間の領域において、発光手段６２から照射した光が拡散層４５で拡散された後、フィルタ層４４で反射すると共に、保持部材５０の内周面５０ａまたは構造体５８に反射する乱反射状態となるから、発光手段６２の前側に位置する構造体５８が光を遮ることに起因する影を打消すので、前側から構造体５８の影を認識し難くすることができる。すなわち、ハーフミラー４２と演出基板６０との間に構造体５８を配設しても、発光手段６２の発光による演出を構造体５８が妨げることなく、演出性を向上することができる。言い換えれば、補強のための構造体５８をハーフミラー４２と演出基板６０との間に設けて、装置の大型化に対応することができる。
【００５０】
(別の変更例)
実施例では、構造体として補強部材である梁部を第１保持部材と一体形成する構成を挙げたが、これに限定されず、他の構成であってもよい。図９に示すように、別の変更例に係る演出表示装置８０は、構造体８２を回動自在に配設すると共に、その一面(反射面)８２ａにのみに発光手段６２から照射した光の反射を高める処理を施す構成である。なお、別の変更例の演出表示装置８０の構成は、基本的に実施例の演出表示装置と同じであって、同一の部材は同一の符号を付して説明を省略し、異なる部分のみ説明する。
【００５１】
前記演出表示装置８０の構造体８２は、反射面８２ａに白色を基本とする色調の塗装等を行なう処理や、構造体８２自体を白色を基本とする色調の材料で構成することで、その反射面８２ａの反射率を向上してある。また、反射面の裏側となる他面(演出面)８２ｂには、例えば黒色を基本とする色調の塗装等を行なう処理や、構造体８２における演出面をなす部分自体を黒色を基本とする色調の材料で構成することで、演出面８２ｂで光を吸収して反射しないようにしてある。また、構造体８２は、第１保持部材５０の内部であって、演出基板６０の前側に配置され、演出制御基板ＥＰＣの制御下に駆動する駆動手段８４により回動するよう構成される。そして構造体８２は、駆動手段８４により回転されることで、反射面８２ａまたは演出面８２ｂの何れかを前側に臨ませるようになっている。
【００５２】
このような別の変更例の演出表示装置８０によれば、構造体８２の反射面８２ａが前側に臨んでいる際には、当該反射面８２ａが発光手段６２から照射した光を反射して、前側から構造体８２を認識し難くすることができる(図９(ａ)参照)。これに対して、構造体８２が反転して構造体８２の演出面８２ｂが前側に臨んでいる際には、当該演出面８２ｂが発光手段６２から照射した光を反射し難く、前側から構造体８２を認識することができる(図９(ｂ)参照)。すなわち、発光手段６２の発光下に、構造体８２の向きを変化させることで、構造体８２の影を出現または消すような演出を行なうことができる。
【図面の簡単な説明】
【００５３】
【図１】本発明の好適な実施例に係る演出表示装置を備えた遊技機を示す正面図である。
【図２】実施例の演出表示装置を備えた遊技機における前面扉の裏面図である。
【図３】実施例の演出表示装置を備えた遊技機において、前面扉を開放した状態で臨む内枠の正面図である。
【図４】実施例の演出表示装置を備えた遊技機における内枠の裏面図である。
【図５】実施例の演出表示装置を示す概略斜視図である。
【図６】実施例の演出表示装置を分解して示す概略斜視図である。
【図７】図５のＡ−Ａ断面図である。
【図８】実施例の演出表示装置において、ハーフミラーに入射する光の状況を示す概略図であって、(ａ)は発光手段の消灯時を示し、(ｂ)は発光手段の点灯時を示す。
【図９】別の変更例の演出表示装置を示す説明図であって、(ａ)は構造体の影ができる状態を示し、(ｂ)は構造体の影が生じない状態を示す。
【符号の説明】
【００５４】
１０ スロットマシン(遊技機)
４２ ハーフミラー
４４ フィルタ層
４５ 拡散層
５０ 第１保持部材(保持部材)
５０ａ 内周面
５２ 係止部
５８ 梁部(構造体)
６２ 発光手段
６０ 演出基板
【図１】
2007125323.tif 000003
【図２】
2007125323.tif 000004
【図３】
2007125323.tif 000005
【図４】
2007125323.tif 000006
【図５】
2007125323.tif 000007
【図６】
2007125323.tif 000008
【図７】
2007125323.tif 000009
【図８】
2007125323.tif 000010
【図９】
2007125323.tif 000011